【手続補正書】
【提出日】平成27年7月6日(2015.7.6)
【手続補正１】
【補正対象書類名】明細書
【補正対象項目名】０１３１
【補正方法】変更
【補正の内容】
【０１３１】
前記記載は本発明の特定の態様を説明するものであり、これらに限定されるものではない。本発明の実施態様の一部を以下の項目［１］−［２５］に記載する。
［１］
ベース、
前記ベースと結合した酵素、及び
前記ベースと結合した第一のポリオキシエチレン
を含み、前記第一のポリオキシエチレンが前記酵素とは独立であり、前記ベース、前記酵素、及び前記第一のポリオキシエチレンが水安定化活性コーティング組成物を形成する、水安定化活性コーティング組成物。
［２］
前記酵素が１種以上のポリマー部分と結合して化学改質された酵素を形成する、項目１記載の組成物。
［３］
前記酵素が加水分解酵素である、項目１記載の組成物。
［４］
前記加水分解酵素が細菌中性サーモリシン様プロテアーゼ、アミラーゼ、又はリパーゼである、項目３記載の組成物。
［５］
前記ポリマー部分が第二のポリオキシエチレンの少なくとも１つの分子である、項目２記載の組成物。
［６］
前記第一のポリオキシエチレンが1,000〜15,000ダルトンの分子量を有する、項目１記載の組成物。
［７］
前記第一のポリオキシエチレン及び第二のポリオキシエチレンがオキシエチレンの同じポリマーを有する、項目５記載の組成物。
［８］
前記第二のポリオキシエチレンが介在するウレタン結合により前記酵素に共有結合している、項目５記載の組成物。
［９］
前記第二のポリオキシエチレンが分枝分子である、項目５記載の組成物。
［１０］
前記分枝分子が８アームポリオキシエチレンである、項目５記載の組成物。
［１１］
ベース、及び
前記ベース内に分散した化学改質された酵素
を含む水安定化活性コーティング組成物であって、前記酵素が第一のポリオキシエチレンの１以上の分子により化学的に改質されている、水安定化活性コーティング組成物。
［１２］
前記酵素が、１ｎｍ〜５μｍの平均粒子直径を有するタンパク粒子で前記ベースに分散している、項目１１記載のコーティング組成物。
［１３］
前記ベースがポリウレタンである、項目１１記載のコーティング組成物。
［１４］
前記第一のポリオキシエチレンが1,000〜15,000ダルトンの分子量を有する、項目１記載のコーティング組成物。
［１５］
前記第一のポリオキシエチレンが分枝分子である、項目１１記載のコーティング組成物。
［１６］
前記第一のポリオキシエチレンが８アームポリオキシエチレンである、項目１５記載のコーティング組成物。
［１７］
コーティング組成物中において水風化に対する酵素の活性を安定化する方法であって、
酵素を１以上のポリマー部分と結合させて化学改質酵素を形成すること、及び
この化学改質酵素をベース中に分散させて水安定化活性コーティング材料を形成すること
を含む方法。
［１８］
前記分散により、１ｎｍ〜５μｍの平均粒子直径を有するタンパク粒子を与える、項目１７記載の方法。
［１９］
基材を前記活性コーティング材料でコートして、前記酵素が前記活性コーティング材料と接触した有機汚染の成分を酵素的に分解できるようにすることをさらに含む、項目１７記載の方法。
［２０］
前記酵素が加水分解酵素である、項目１９記載の方法。
［２１］
前記ポリマー部分がポリオキシエチレンの少なくとも１つの分子を含む、項目１７記載の方法。
［２２］
前記ポリオキシエチレンが1,000〜15,000ダルトンの分子量を有する、項目２１記載の方法。
［２３］
前記ポリマー部分が分枝ポリオキシエチレンである、項目１７記載の方法。
［２４］
前記ポリマー部分が８アームポリオキシエチレンである、項目１７記載の方法。
［２５］
前記酵素がアミラーゼであり、前記コーティングの表面活性が0.01ユニット／cm2以上である、項目１９記載の方法。
【手続補正２】
【補正対象書類名】特許請求の範囲
【補正対象項目名】全文
【補正方法】変更
【補正の内容】
【特許請求の範囲】
【請求項１】
ベース、
前記ベースと結合した酵素、及び
前記ベースと結合した第一のポリオキシエチレン
を含み、前記第一のポリオキシエチレンが前記酵素とは独立であり、前記ベース、前記酵素、及び前記第一のポリオキシエチレンが水安定化活性コーティング組成物を形成し、前記酵素は０．１ｎｍ〜５μｍの平均粒子直径を有するタンパク質ミクロ凝集体として前記水安定化活性コーティング組成物中に分散している、水安定化活性コーティング組成物。
【請求項２】
前記第一のポリオキシエチレンが1,000〜15,000ダルトンの分子量を有する、請求項１記載の組成物。
【請求項３】
前記酵素が１種以上のポリマー部分と結合して化学改質された酵素を形成する、請求項１記載の組成物。
【請求項４】
前記ポリマー部分が第二のポリオキシエチレンの少なくとも１つの分子である、請求項３記載の組成物。
【請求項５】
前記第一のポリオキシエチレン及び第二のポリオキシエチレンがオキシエチレンの同じポリマーを有する、請求項３記載の組成物。
【請求項６】
前記第二のポリオキシエチレンが分枝分子である、請求項４記載の組成物。
【請求項７】
前記分枝分子が８アームポリオキシエチレンである、請求項６記載の組成物。
【請求項８】
前記第二のポリオキシエチレンが介在するウレタン結合により前記酵素に共有結合している、請求項４記載の組成物。
【請求項９】
前記酵素が加水分解酵素である、請求項１記載の組成物。
【請求項１０】
前記加水分解酵素が細菌中性サーモリシン様プロテアーゼ、アミラーゼ、又はリパーゼである、請求項９記載の組成物。
【請求項１１】
ベース、及び
前記ベース内に分散した化学改質された酵素
を含む水安定化活性コーティング組成物であって、前記酵素が第一のポリオキシエチレンの１以上の分子により化学的に改質されている、水安定化活性コーティング組成物。
【請求項１２】
前記酵素が、０．１ｎｍ〜５μｍの平均粒子直径を有するタンパク粒子で前記ベースに分散している、請求項１１記載のコーティング組成物。
【請求項１３】
前記第一のポリオキシエチレンが1,000〜15,000ダルトンの分子量を有する、請求項１１記載のコーティング組成物。
【請求項１４】
前記第一のポリオキシエチレンが分枝分子である、請求項１１記載のコーティング組成物。
【請求項１５】
前記第一のポリオキシエチレンが８アームポリオキシエチレンである、請求項１４記載のコーティング組成物。
【請求項１６】
前記ベースがポリウレタンである、請求項１１記載のコーティング組成物。
【請求項１７】
コーティング組成物中において水風化に対する酵素の活性を安定化する方法であって、
酵素を１以上のポリマー部分と結合させて化学改質酵素を形成すること、及び
この化学改質酵素をベース中に分散させて水安定化活性コーティング材料を形成すること
を含む方法。
【請求項１８】
前記分散により、１ｎｍ〜５μｍの平均粒子直径を有するタンパク粒子を与える、請求項１７記載の方法。
【請求項１９】
前記ポリマー部分がポリオキシエチレンの少なくとも１つの分子を含む、請求項１７記載の方法。
【請求項２０】
前記ポリオキシエチレンが1,000〜15,000ダルトンの分子量を有する、請求項１９記載の方法。
【請求項２１】
前記ポリマー部分が分枝ポリオキシエチレンである、請求項１７記載の方法。
【請求項２２】
前記ポリマー部分が８アームポリオキシエチレンである、請求項１７記載の方法。
【請求項２３】
前記酵素が加水分解酵素である、請求項１７記載の方法。
【請求項２４】
基材を前記活性コーティング材料でコートして、前記酵素が前記活性コーティング材料と接触した有機汚染の成分を酵素的に分解できるようにすることをさらに含む、請求項１７記載の方法。
【請求項２５】
前記酵素がアミラーゼであり、前記コーティングの表面活性が0.01ユニット／cm2以上である、請求項２４記載の方法。